(57)【特許請求の範囲】
【請求項１】
圧縮機、室外熱交換器、絞り装置、２方操作弁及び３方操作弁を有する一台の室外機と、室内熱交換器を有する一台または二台の室内機と、これら室外機と室内機とを接続する、キャピラリチューブと開閉弁を直列接続してなる分流回路を有する分流器とからなり、前記絞り装置と並列に電磁弁と第二の絞り装置を直列接続してなるバイパス回路を設け、前記電磁弁を前記二台の室内機の双方を運転する時のみ開状態に制御する空気調和機において、前記分流器に、前記二台の室内機の夫々の電源が供給されたときに動作するリレーを夫々設け、各リレーのメーク接点を直列に接続してＡＮＤ回路を形成し、同ＡＮＤ回路を前記電源の一端と前記電磁弁のコイルの一端に直列に接続すると共に、前記電源の他端と前記電磁弁のコイルの他端に接続することにより、前記電磁弁を開状態に駆動するようにしてなることを特徴とする空気調和機。
【発明の詳細な説明】
【０００１】
【発明の属する技術分野】
本発明は、空気調和機に係り、詳しくは冷媒回路の構成に関する。
【０００２】
【従来の技術】
図３は、従来の空気調和機の一例を示す冷媒回路図、図４は、従来の空気調和機の一例を示す電気回路図である。
圧縮機４、室外熱交換器５、絞り装置６、２方操作弁１ａ、及び３方操作弁１ｂを有する１台の室外機１と、各々直列接続されたキャピラリチューブ９ａ、９ｂと開閉弁８ａ、８ｂの２対で構成される分流器２、さらに前記各々の開閉弁８ａ、８ｂに直列接続される２個の室内熱交換器７ａ、７ｂを順次配置接続する。
そして、前記１台の室外機１よりの吐出冷媒を前記分流器２を介して二台の室内機３Ａ、３Ｂに任意に供給するようにして空気調和機を構成する。
【０００３】
一方、従来の空気調和機の電気回路について説明する。
１１は圧縮機モータ、１２は室外ファンモータ、１３はメインリレー、１４は第一の室内機用リレー、１５は第二の室内機用リレー、１６は第一の室内機用開閉弁コイル、１７は第二の室内機用開閉弁コイルである。
二台の室内機３Ａ、３Ｂのどちらかに電源が接続されると、各々に対応する第一の室内機用リレー１４、または第二の室内機用リレー１５が動作し、そのメーク接点がＯＮ状態になる。
すると、交流電源２１の一端に接続されたメインリレー１３が動作し、そのメーク接点をＯＮ状態にする。
同メーク接点は前記交流電源２１の一端と圧縮機モータ１１、及び室外ファンモータ１２の各々の一端に接続され、それらの他端が、前記交流電源２１の他端に接続されているため、圧縮機１、室外ファンモータ（図示せず）が駆動される。
同様に、二台の室内機３Ａ、３Ｂのどちらかに電源が接続されると、各々に対応する第一の室内機用開閉弁コイル１６、または第二の室内機用開閉弁コイル１７が動作し、その開閉弁８ａ、または８ｂが開状態になる。
【０００４】
この場合、一台の室内機３Ａ、または３Ｂ接続時と、分流器２を取り付け二台の室内機３Ａ、３Ｂの接続時では、冷媒の封入量が大幅に異なる。
また、二台の室内機３Ａ、３Ｂの運転時には、前記絞り装置６であるキャピラリチューブの絞りがきつ過ぎる。
そして、配管内容積が増大し、正規冷媒量のままでは冷房能力が低下する。
また、高湿度条件下で室内熱交換器内の冷媒が大幅に加熱し、クロスフローファンに結露してしまう。
そして、二台接続時のみ前記絞り装置６であるキャピラリチューブの絞りを緩くすることはできないため、冷媒の追加のみで高湿度条件下での加熱を抑えなければならない。
従って、多量の冷媒を追加することになり、その結果、過負荷条件下で高圧圧力が上昇し、圧縮機４の許容圧力を超えるおそれがある問題を生じている。
【０００５】
【発明が解決しようとする課題】
本発明は、上記従来の問題点に鑑みなされたもので、マルチエアコンの室内機２台を同時冷房運転するときの冷媒状態を最適にし、冷媒の追加充填量を削減し、高圧過昇を抑えた空気調和機を提供することを目的とする。
【０００６】
【課題を解決するための手段】
上記目的を達成するために、圧縮機、室外熱交換器、絞り装置、２方操作弁及び３方操作弁を有する一台の室外機と、室内熱交換器を有する一台または二台の室内機と、これら室外機と室内機とを接続する、キャピラリチューブと開閉弁を直列接続してなる分流回路を有する分流器とからなり、前記絞り装置と並列に電磁弁と第二の絞り装置を直列接続してなるバイパス回路を設け、前記電磁弁を前記二台の室内機の双方を運転する時のみ開状態に制御する空気調和機において、前記分流器に、前記二台の室内機の夫々の電源が供給されたときに動作するリレーを夫々設け、各リレーのメーク接点を直列に接続してＡＮＤ回路を形成し、同ＡＮＤ回路を前記電源の一端と前記電磁弁のコイルの一端に直列に接続すると共に、前記電源の他端と前記電磁弁のコイルの他端に接続することにより、前記電磁弁を開状態に駆動するようにした。
【００１０】
【発明の実施の形態】
発明の実施の形態を実施例に基づき添付図面を参照して詳細に説明する。
図１は、本発明による空気調和機の一実施例を示す冷媒回路図、図２は、本発明による空気調和機の一実施例を示す電気回路図である。
なお、従来例と同じ部分の符号は同一とする。
【００１１】
１は室外機、２は分流機、３Ａは第一の室内機、３Ｂは第二の室内機、４は圧縮機、５は室外熱交換器、６は絞り装置、７ａは第一の室内熱交換器、８ａは第一の開閉弁、９ａは第一のキャピラリチューブ、７ｂは第二の室内熱交換器、８ｂは第二の開閉弁、９ｂは第二のキャピラリチューブ、１０はバイパス回路、１０ａは電磁弁、１０ｂは第二の絞り装置である。
【００１２】
この実施例による空気調和機では、１台の室外機で２台の室内機を任意に接続対象とし、絞り装置６としてもキャピラリチューブを用いている。
【００１３】
圧縮機４、室外熱交換器５、絞り装置６、２方操作弁１a及び３方操作弁１bを有する一台の室外機１と、室内熱交換器７a、７bを有する室内機３Ａ、３Ｂと、これら室外機１と室内機３Ａ、３Ｂとを接続する、キャピラリチューブ９aと開閉弁８aおよびキャピラリチューブ９bと開閉弁８bを直列接続してなる分流回路を有する分流器2とから構成されている。そして、前記一台の室外機１よりの吐出冷媒を前記分流器３を介して前記二台の室内機３Ａ，３Ｂに任意に供給するようにしている。更に、前記室外機１側の前記絞り装置６と並列に、電磁弁10aと第二の絞り装置10bであるキャピラリチューブを直列接続してなるバイパス回路10が設けられている。
【００１４】
一方、図２に示す電気回路に付いて説明する。
なお、従来と同じ部分についての説明は省略する。
１８は室外機電磁弁用リレー、１９は室外機電磁弁用リレー、２０は室外機電磁弁コイル、２１は、交流電源である。
そして、前記リレー１８、リレー１９を前記分流器２側に設けている。
【００１５】
二台の室内機３Ａ、３Ｂのどちらかに電源が接続されると、各々に対応する室外機電磁弁用リレー１８、室外機電磁弁用リレー１９が動作する。
そして、前記二台の室内機３Ａ、３Ｂ双方に電源が接続されると、各リレーのメーク接点を直列に接続してＡＮＤ回路を形成し、同ＡＮＤ回路を前記交流電源２１の一端と室外電磁弁コイル２０の一端に直列に接続するとともに、前記交流電源２１の他端を前記室外電磁弁コイル２０の他端にメインリレー１３を介し直列に接続しているので、前記電磁弁１０ａが開状態に駆動される。
この結果、前記電磁弁１０ａが開状態になるので、前記絞り装置６だけでなく前記バイパス回路１０の第二の絞り装置１０ｂのキャピラリチューブを通して吐出冷媒が供給される。
【００１６】
なお、図には示さないが、前記第二の絞り装置１０ｂが、電子膨張弁であるようにしてもよい。
【００１７】
次いで、前記実施例の作用について説明する。
本発明によれば、前記絞り装置６の端部間に、手動式２方弁１０ａと第二の絞り装置１０ｂを直列接続しているので、２台の室内機３Ａ、３Ｂの同時接続時には、前記バイパス回路１０の電磁弁１０ａを開として、冷媒が前記バイパス回路１０と前記絞り装置６であるキャピラリチューブの双方を通過するので、全体の絞りが緩くなる。
【００１８】
一方、例えば室内機３Ａのみの１台運転時には、前記バイパス回路１０に冷媒が流れない。
この結果、２台の室内機３Ａ、３Ｂの同時運転時に、追加する冷媒量が少なくて済む。
さらに、２台の室内機３Ａ、３Ｂの同時接続時に過負荷条件下においても、高圧圧力が圧縮機４の許容値を超えることを防止することができる。
他方、前記リレー１８、リレー１９を前記分流器２側に設けているので、室内機３Ａのみの１台接続時には、前記分流器２を外して、直接室外機１に接続することができる。
【００１９】
【発明の効果】
以上のように本発明においては、圧縮機、室外熱交換器、絞り装置、２方操作弁及び３方操作弁を有する一台の室外機と、各々直列接続されたキャピラリチューブと開閉弁の２対で構成される分流器、さらに前記各々の開閉弁に直列接続される室内熱交換器を順次配置接続し、前記一台の室外機よりの吐出冷媒を前記分流器を介して一台または二台の室内機に供給するようにしてなる空気調和機において、前記絞り装置と並列に、電磁弁と第二の絞り装置を直列接続してなるバイパス回路を設け、同電磁弁を前記二台の室内機の双方を運転するときのみ開状態に制御してなるようにした。
【００２０】
この結果、マルチエアコンの室内機２台を同時冷房運転するときの冷媒状態を最適にし、冷媒の追加充填量を削減し、高圧過昇を抑えた空気調和機を提供することができる。
【図面の簡単な説明】
【図１】本発明による空気調和機の一実施例を示す冷媒回路図である。
【図２】本発明による空気調和機の一実施例を示す電気回路図である。
【図３】従来の空気調和機の一例を示す冷媒回路図である。
【図４】従来の空気調和機の一例を示す電気回路図である。
【符号の説明】
１  室外機
２  分流機
３Ａ  第一の室内機
３Ｂ  第二の室内機
４  圧縮機
５  室外熱交換器
６  絞り装置
７ａ  第一の室内熱交換器
８ａ  第一の開閉弁
９ａ  第一のキャピラリチューブ
７ｂ  第二の室内熱交換器
８ｂ  第二の開閉弁
９ｂ  第二のキャピラリチューブ
１０  バイパス回路
１０ａ  電磁弁
１０ｂ  キャピラリチューブ
１１  圧縮機モータ
１２  室外ファンモータ
１３  メインリレー
１４  第一の室内機用リレー
１５  第二の室内機用リレー
１６  第一の室内機用開閉弁コイル
１７  第二の室内機用開閉弁コイル
１８  室外機電磁弁用リレー
１９  室外機電磁弁用リレー
２０  室外機電磁弁コイル
２１  交流電源
【図１】
0003858410.tif 000002
【図２】
0003858410.tif 000003
【図３】
0003858410.tif 000004
【図４】
0003858410.tif 000005